(57)【特許請求の範囲】
【請求項１】
吸収体と、吸収体の表面を覆う透液性の表面側層と、吸収体の裏面を覆う裏面側層とを有し、股間を覆うように身体に装着される吸収性物品において、
前記吸収体及び表面側層が一体化されて複合層が形成され、
この複合層の周縁部を含む環状部及びこれにより囲まれた主吸収部のうち、環状部が前記裏面側層に接合されるとともに、主吸収部が前記裏面側層に接合されておらず、
前記主吸収部の前後方向長さが、前記裏面側層における前記主吸収部と対応する部分の前後方向の自然長より長く、且つそれによって、前記主吸収部が前記裏面側層から浮き上がり身体側に膨出するとともに、前記主吸収部と前記裏面側層との間に吸収液の貯留空間が形成され、
前記主吸収部における前記貯留空間と対応する部位に、前記吸収体を上下方向に貫通する貫通孔が形成されている、
ことを特徴とする吸収性物品。
【請求項２】
前記主吸収部の前後方向長さが３０ｍｍ以上、前記裏面側層における前記主吸収部と対応する部分の前後方向の自然長が１５ｍｍ以上、且つ前記主吸収部の前後方向長さが、前記裏面側層における前記主吸収部と対応する部分の前後方向の自然長の１．１倍以上であり、
前記貫通孔の断面積が３ｍｍ2以上であり、且つ
前記貫通孔は前記吸収体の３ｃｍ角あたり９〜８１個形成されている、
請求項１記載の吸収性物品。
【請求項３】
前記裏面側層が少なくとも前後方向に弾性伸縮するように構成されている、請求項１又は２記載の吸収性物品。
【請求項４】
前記裏面側層における前記主吸収部と対応する部分を、前記主吸収部の前後方向長さに伸張した状態で、前記裏面側層の裏面に、前記裏面側層の収縮力に抗する形状保持シートを剥離可能に貼り付けてなる、請求項３記載の吸収性物品。
【請求項５】
前記複合層の環状部のうち、前後方向において前記主吸収部と対応する両側部に、他の部位よりも前後方向の圧縮に要する力が低い部分を有する、請求項３又は４記載の吸収性物品。
【請求項６】
前記複合層における前記主吸収部の幅方向両側に、易折り曲げ部が前後方向に沿って形成されている、請求項１〜５のいずれか１項に記載の吸収性物品。
【請求項７】
前記複合層の幅方向両側に、少なくとも主吸収部の前端部から後端部まで実質的に連続する細長状弾性伸縮部材がその長手方向に伸張した状態でそれぞれ設けられており、これら細長状弾性伸縮部材は、前後方向中間に位置する部分がその前後両側に位置する部分よりも幅方向外側に膨出するように配置されている、請求項１〜６のいずれか１項に記載の吸収性物品。
【請求項８】
前記複合層と前記裏面側層との間に、前記主吸収部から裏面側に離間した下部吸収体を有する、請求項１〜７のいずれか１項に記載の吸収性物品。
【請求項９】
前記複合層と前記裏面側層との間に、前記主吸収部に固定されていない液透過性の圧縮復元性層が設けられている、請求項１〜８のいずれか１項に記載の吸収性物品。
【請求項１０】
前記吸収体は、前後方向中間且つ幅方向中間の部分にのみ貫通孔が複数設けられた領域を有するとともに、この領域からその周囲に向かうにつれて親水度及び繊維密度の少なくとも一方が高くなるものである、請求項１〜９のいずれか１項に記載の吸収性物品。
【発明の詳細な説明】
【技術分野】
【０００１】
本発明は、股間を覆うように身体に装着される吸収性物品に関する。
【背景技術】
【０００２】
生理用ナプキン、パンティライナー、失禁パッド、使い捨て紙おむつなどの吸収性物品の多くは、綿状パルプなどからなる吸収体と、吸収体の表面を覆う透液性表面シート等の表面側層と、吸収体の裏面を覆う不透液性裏面シート等の裏面側層とを有し、各部の皺や位置ずれを防止するために、表面側層及び裏面側層は吸収体の表裏にそれぞれ接着剤により固定されているのが一般的である。
これに対して、身体への密着性を高め、伝い漏れを防ぐために、吸収体及びその表面側層を裏面側層に対して浮かせた構造も提案されている（例えば特許文献１〜３参照）。
【特許文献１】特表平９−５０７０３３号公報
【特許文献２】特開平１１−９９１７０号公報
【特許文献３】特開平１１−９９１７１号公報
【発明の開示】
【発明が解決しようとする課題】
【０００３】
しかしながら、単に密着性を高めるだけでは、低粘度の液体が急激に排泄された場合（排尿の場合が典型的であり、ある程度多量に且つある程度速く排泄された場合）、身体と物品との隙間が少ないために未吸収液の逃げ場が無くなり、漏れが発生し易いという問題点があった。
そこで、本発明の主たる課題は、身体への密着性と、急激な排泄に対する漏れ防止性能とを両立することにある。
【課題を解決するための手段】
【０００４】
上記課題を解決した本発明は次記のとおりである。
＜請求項１記載の発明＞
吸収体と、吸収体の表面を覆う透液性の表面側層と、吸収体の裏面を覆う裏面側層とを有し、股間を覆うように身体に装着される吸収性物品において、
前記吸収体及び表面側層が一体化されて複合層が形成され、
この複合層の周縁部を含む環状部及びこれにより囲まれた主吸収部のうち、環状部が前記裏面側層に接合されるとともに、主吸収部が前記裏面側層に接合されておらず、
前記主吸収部の前後方向長さが、前記裏面側層における前記主吸収部と対応する部分の前後方向の自然長より長く、且つそれによって、前記主吸収部が前記裏面側層から浮き上がり身体側に膨出するとともに、前記主吸収部と前記裏面側層との間に吸収液の貯留空間が形成され、
前記主吸収部における前記貯留空間と対応する部位に、前記吸収体を上下方向に貫通する貫通孔が形成されている、
ことを特徴とする吸収性物品。
【０００５】
（作用効果）
本発明では、吸収体及び表面側層が一体化されてなる複合層のうち、周縁部を含む環状部が裏面側層に接合されるとともに、環状部により囲まれた主吸収部が裏面側層に接合されておらず、且つ主吸収部の前後方向長さ（展開状態）が、裏面側層における主吸収部と対応する部分の前後方向の自然長より長いため、主吸収部が裏面側層から浮き上がり身体側に膨出する。よって、主吸収部が身体表面に密着するだけでなく、主吸収部と裏面側層との間に吸収液の貯留空間が形成される。そして本発明では、主吸収部における吸収体に上下方向に貫通する貫通孔が形成されており、この貫通孔が貯留空間に連通することになるため、急激に排泄された液体は貫通孔を介して速やかに貯留空間に導入される。したがって、本発明によれば、体への密着性と、急激な排泄に対する漏れ防止性能とが両立するようになる。また、当初予想していなかったが、本発明では、体の動きや体重により、主吸収部下部の空間が圧潰及び復元することにより、空間内部の空気が貫通孔を通じて入れ替わり、蒸れや嫌気性菌の繁殖を軽減する効果も発揮される。
【０００６】
＜請求項２記載の発明＞
前記主吸収部の前後方向長さが３０ｍｍ以上、前記裏面側層における前記主吸収部と対応する部分の前後方向の自然長が１５ｍｍ以上、且つ前記主吸収部の前後方向長さが、前記裏面側層における前記主吸収部と対応する部分の前後方向の自然長の１．１倍以上であり、
前記貫通孔の断面積が３ｍｍ2以上であり、且つ
前記貫通孔は前記吸収体の３ｃｍ角あたり９〜８１個形成されている、
請求項１記載の吸収性物品。
【０００７】
（作用効果）
本発明における各部の寸法は適宜定めることができるが、特に本項記載の範囲内にあると前述の本発明の効果を発揮する上で有利である。
【０００８】
＜請求項３記載の発明＞
前記裏面側層が少なくとも前後方向に弾性伸縮するように構成されている、請求項１又は２記載の吸収性物品。
【０００９】
（作用効果）
このような構造を有することにより、裏面側層を前後方向に伸張した状態でその表面側に複合層を接合した後、伸張力を開放するだけで前述した本発明の構造が形成されるため、製造が容易となる利点がある。
【００１０】
＜請求項４記載の発明＞
前記裏面側層における前記主吸収部と対応する部分を、前記主吸収部の前後方向長さに伸張した状態で、前記裏面側層の裏面に、前記裏面側層の収縮力に抗する形状保持シートを剥離可能に貼り付けてなる、請求項３記載の吸収性物品。
【００１１】
（作用効果）
このような形状保持シートを備えることにより、未使用時には平坦な形状でありながら、使用時に形状保持シートを剥離することにより前述した本発明の膨出構造が自然に形成されるようになる。よって、コンパクトな状態で持ち運ぶことができるとともに、使用も容易となる。
【００１２】
＜請求項５記載の発明＞
前記複合層の環状部のうち、前後方向において前記主吸収部と対応する両側部に、他の部位よりも前後方向の圧縮に要する力が低い部分を有する、請求項３又は４記載の吸収性物品。
【００１３】
（作用効果）
このような構造を有することにより、裏面側層の収縮が妨げられず、複合層が安定した膨出形状になる。
【００１４】
＜請求項６記載の発明＞
前記複合層における前記主吸収部の幅方向両側に、易折り曲げ部が前後方向に沿って形成されている、請求項１〜５のいずれか１項に記載の吸収性物品。
【００１５】
（作用効果）
易折り曲げ部は、当該部分が他の部分と比べて折れ曲がり易くなっている部分を意味するものである。このような易折り曲げ部が複合層における主吸収部の幅方向両側に、前後方向に沿って形成されていると、股間において幅方向の圧縮力が加わったときに主吸収部の両側部が安定した膨出形状を維持でき、身体への密着性が損なわれ難くなるという利点がある。
【００１６】
＜請求項７記載の発明＞
前記複合層の幅方向両側に、少なくとも主吸収部の前端部から後端部まで実質的に連続する細長状弾性伸縮部材がその長手方向に伸張した状態でそれぞれ設けられており、これら細長状弾性伸縮部材は、前後方向中間の部分がその前後両側の部分よりも幅方向外側に膨出するように配置されている、請求項１〜６のいずれか１項に記載の吸収性物品。
【００１７】
（作用効果）
このような配置の細長状弾性部材を有していると、その収縮によって、複合層のうち細長状弾性部材の前後方向中間の膨出部分が位置する領域は、その前後の領域に対して幅方向に収縮する。その結果、主吸収部の両側部が自然に安定した膨出形状となり、この膨出形状が弾力的に維持されるため、身体への密着性に優れたものとなる。また、この幅方向の収縮を利用して、吸収性物品の幅方向両側部に括れを形成することもでき、その場合には股間に適した形状となり、幅方向の圧縮力が作用し難くなるため、形状安定性がより一層のものとなる。さらに、このような細長状弾性部材の配置は、いわゆる揺動装置によりインラインで製造できるという利点もある。
【００１８】
＜請求項８記載の発明＞
前記複合層と前記裏面側層との間に、前記主吸収部から裏面側に離間した下部吸収体を有する、請求項１〜７のいずれか１項に記載の吸収性物品。
【００１９】
（作用効果）
複合層と裏面側層との間に、液を吸収保持する部分が無いと、前述の貯留空間に導入された排泄液が貫通孔を介して身体側に逆戻りするおそれがある。よって、本項記載のような下部吸収体を設け、貯留空間に導入された排泄液を下部吸収体で保持し、逆戻りを防止するのが望ましい。
【００２０】
＜請求項９記載の発明＞
前記複合層と前記裏面側層との間に、前記主吸収部に固定されていない液透過性の圧縮復元性層が設けられている、請求項１〜８のいずれか１項に記載の吸収性物品。
【００２１】
（作用効果）
複合層と裏面側層との間が何もない空間であると、前述した本発明の膨出形状が潰れて、密着性が損なわれるおそれがある。よって、本項記載のような液透過性の圧縮復元性層を設け、膨出形状の潰れを防止するのが望ましい。なお、圧縮復元性とは、圧力により圧縮されるものの完全に復元するか又は不完全ではあるが復元するものを意味する。
【００２２】
＜請求項１０記載の発明＞
前記吸収体は、前後方向中間且つ幅方向中間の部分にのみ貫通孔が複数設けられた領域を有するとともに、この領域からその周囲に向かうにつれて親水度及び繊維密度の少なくとも一方が高くなるものである、請求項１〜９のいずれか１項に記載の吸収性物品。
【００２３】
（作用効果）
このような構造を有することにより、吸収体の貫通孔領域で導入した液が当該領域に保持されずに周囲の無貫通孔領域に拡散されるため、一度吸収した液が身体側へ逆戻りし難くなる。また、肌により密着する部分に液が残り難いため、液吸収後においても表面がさらっとするようになる利点もある。
【発明の効果】
【００２４】
以上のとおり、本発明によれば、身体への密着性と、急激な排泄に対する漏れ防止性能とを両立できるようになる、等の利点がもたらされる。
【発明を実施するための最良の形態】
【００２５】
以下、本発明の実施形態について、パッド型の吸収性物品（以下、単にパッドという）の例を引いて説明するが、本発明はこれに限られるものではなく、他の吸収性物品にも適用できることはいうまでもない。
【００２６】
図１〜図４は本発明に係るパッド１の展開状態を示しており、このパッド１は、裏面シート２と、透液性表面シート３（以下、単に表面シートという。）との間に、吸収体４が介在された構造を有するものである。
【００２７】
裏面シート２としては、一般にポリエチレン、ポリプロピレン等の遮水性を有するシート材が用いられるが、パッド１をおむつと股間との間に介在させて使用する場合等、必要に応じて透液性の素材を用いることもできる。遮水性を有するシートとしては、防水フィルムを介在して実質的に不透液性を確保した不織布シート（この場合には、防水フィルムと不織布とで裏面シート２を構成する）や、ポリエチレンやポリプロピレン等のオレフィン系樹脂中に無機充填剤を溶融混練してシートを成形した後、一軸または二軸方向に延伸することにより得られる微多孔性の遮水・透湿性シートも好適に用いられる。
【００２８】
表面シート３は、有孔又は無孔の不織布や多孔性プラスチックフィルムシートなどが好適に用いられる。不織布を構成する素材繊維としては、例えばポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。又、プラスチックフィルムシートとしては、例えばポリエチレン、ポリプロピレン等のオレフィン系樹脂、ポリエステル、ナイロン等のポリアミド系樹脂、エチレン−酢酸ビニル共重合体（ＥＶＡ）などを好適に使用することができる。不織布としては、繊維目付けが８〜５０ｇ／ｍ2程度、厚みが０．２〜２ｍｍ程度であるのが好ましい。
【００２９】
一方、裏面シート２と表面シート３との間に介在される吸収体４は、たとえばパルプ中に高吸水性樹脂を混入したもの、或いはパルプ中に化学繊維を混入させるとともに、高吸水性樹脂を混入したもの等が使用される。セルロースアセテート等のフィラメント集合体や、不織布中に高吸水性樹脂を混入したものも好適である。高吸水性樹脂及びパルプは省略することもできる。パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３０】
高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。吸水性能を有する高吸水性樹脂は製造プロセスにおいて、架橋密度および架橋密度勾配を調整することにより吸水力と吸水速度の調整が可能である。高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３１】
吸収体４は、形状保持等のために、透液性素材、例えばクレープ紙や不織布等からなる包装シート（図示略）で全体を巻いて囲繞することができる。また、表面シート３と吸収体４との間には中間シート７を配置することができる。中間シート７は、親水性を有するものが好ましい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。このような中間シート７を配置することによって、吸収体４に一旦吸収された体液が表面シート３側に戻ってしまうことを防止することができる。
【００３２】
特徴的には、吸収体４及び表面シート３３が張り合わされて複合層２０が形成され、この複合層２０の周縁部を含む環状部２１及びこれにより囲まれた主吸収部２２のうち、環状部２１が裏面シート２に接合されるとともに、主吸収部２２は裏面シート２に接合されていない。この接合はホットメルト接着剤ＨＭ等の接合手段により行うことができる（図中の他の網掛け部分も同様である）。各部の寸法は適宜定めることができるが、主吸収部２２の前後方向長さＬ１は３０ｍｍ以上、特に５０〜１５０ｍｍであるのが好ましい。裏面シート２における主吸収部２２と対応する部分（主吸収部２２との接合部分により囲まれた部分）の前後方向の自然長Ｌ２は１５ｍｍ以上、特に２０〜６０ｍｍであるのが好ましい。また、主吸収部２２の前後方向長さＬ１が、裏面シート２における主吸収部２２と対応する部分の前後方向の自然長Ｌ２より長い構造となっている。具体的には、主吸収部２２の前後方向長さＬ１が、裏面シート２における主吸収部２２と対応する部分の前後方向の自然長Ｌ２の１．１倍以上、特に１．３〜２．０倍であるのが好ましい。
【００３３】
また特徴的には、主吸収部２２における吸収体４には、上下方向に貫通する貫通孔５が形成されている。貫通孔５の寸法及び数は適宜定めれば良いが、貫通孔５は断面積が３ｍｍ2以上の筒状であるのが好ましく、また吸収体４の３ｃｍ角あたり９〜８１個形成されているのが好ましい。貫通孔５の形成領域も適宜定めることができ、吸収体４の全体とすることもできるが、一部とすることもできる。通常の場合、吸収体４の前後方向中間且つ幅方向中間の部分にのみ、貫通孔５が複数設けられた領域を有するのが好ましい。吸収体４を展開した状態で平面的に見たときの貫通孔５の配列は不規則でも良いが、規則的に設けられているのが好ましく、特に図示例のように千鳥状の配列や、図示しないが行列状の配列が好ましい。
【００３４】
このように、複合層２０の周縁環状部２１が裏面シート２に接合されるとともに、環状部２１により囲まれた主吸収部２２が裏面シート２に接合されておらず、且つ主吸収部２２の前後方向長さが、裏面シート２における主吸収部２２と対応する部分の前後方向の自然長より長いと、図６に示すように、主吸収部２２が裏面シート２から浮き上がり身体側に膨出する。よって、主吸収部２２が身体表面に密着するだけでなく、主吸収部２２と裏面シート２との間に吸収液の貯留空間（図示例では後述する圧縮復元性層１０を有する部分である）が形成される。また、主吸収部２２における吸収体４に上下方向に貫通する貫通孔５が形成されており、この貫通孔５が貯留空間に連通するため、急激に排泄された液体は貫通孔５を介して速やかに貯留空間に導入される。したがって、体への密着性を高めながら、急激な排泄に対しても漏れ難いものとなる。
【００３５】
特に、裏面シート２が少なくとも前後方向に弾性伸縮する素材で構成されていると、裏面シート２を前後方向に伸張した状態でその表面側に複合層２０を接合した後、伸張力を開放するだけで前述した本発明の構造が形成されるため、製造が容易となる利点がある。このような弾性伸縮素材としては、伸縮率が１０〜５０％程度のシロキサンン系やウレタン系エラストマーのフィルムや不織布、非弾性不織布と弾性部材の複合材等が用いられる。
【００３６】
このように裏面シート２が弾性伸縮素材で構成されている場合、裏面シート２における主吸収部２２と対応する部分を、主吸収部２２の前後方向長さに伸張した状態で、裏面シート２の裏面に、裏面シート２の収縮力に抗する形状保持シート６を剥離可能に貼り付けておくのもの好ましい形態である。このような形状保持シート６を備えることにより、未使用時には平坦な形状でありながら、使用時に形状保持シート６を剥離することにより、図６に示すように前述の膨出構造が自然に形成されるようになる。よって、コンパクトな状態で持ち運ぶことができるとともに、使用も容易となる。形状保持シート６としては、裏面シート２の収縮力に抗して形状を維持できる程度に高剛性の素材であれば、特に限定無く用いることができるが、例えば、シリコン加工により剥離性を付与した坪量３５ｇ／ｍ2以上の上質紙等を用いることができる。生理用ナプキン等のパッド１型の吸収性物品は、一般に、裏面にズレ止め用の粘着剤が塗布されるとともに、その粘着剤層を覆うように剥離シートが貼り付けられているものが多いが、上述の形状保持シート６はこのような剥離シートと兼用することができる。すなわち、形状保持シート６は、パッド１１の裏面に塗布されたズレ止め用の粘着剤ａｄによりパッド１１の裏面に剥離可能に固定することができる。
【００３７】
また、図示のように、複合層２０の幅方向両側に、少なくとも主吸収部２２の前端部から後端部まで実質的に連続する細長状弾性伸縮部材８がその長手方向に伸張した状態でそれぞれ設けられ、これら細長状弾性伸縮部材８が、前後方向中間の部分がその前後両側の部分よりも幅方向外側に膨出する（ただし、主吸収部２２の範囲内であるのが好ましい）ように配置されているのも好ましい形態である。より詳細には、細長状弾性伸縮部材８の前後方向中間の膨出部分は、パッド１１の前後方向において孔５形成領域の全部（一部でも良い）と重複する位置に弧状に形成されており、その前後両側の部分は前後方向に沿って直線状に配置されている。この場合、細長状弾性伸縮部材８における膨出配置部分の収縮によって、複合層２０における孔５形成領域は、その前後の領域に対して幅方向に収縮する。その結果、主吸収部２２の両側部が自然に安定した膨出形状となり、この膨出形状が弾力的に維持されるため、身体への密着性に優れたものとなる。また、この幅方向の収縮によってパッド１の幅方向両側部に脚周りに沿う括れが形成され、股間へのフィット性が向上することにより、幅方向の圧縮力が作用し難くなるため、形状安定性がより一層のものとなる。このような細長状弾性伸縮部材８の配置は、いわゆる揺動装置によりインラインで製造できる。
【００３８】
細長状弾性伸縮部材８としては、糸状、紐状、帯状等の細長形状に形成された、天然ゴム、合成ゴム、発泡樹脂、スクリム等を用いることができる。合成糸ゴムを用いる場合、太さ４００〜１５００ｄｔｅｘ程度のものを、１１０〜２５０％に伸張した状態で固定するのが好ましい。
【００３９】
他方、複合層２０と裏面シート２との間に、液を吸収保持する部分が無いと、前述の貯留空間に導入された排泄液が貫通孔５を介して身体側に逆戻りするおそれがある。よって、図示形態のように、複合層２０と裏面シート２との間に、主吸収部２２から裏面側に離間する下部吸収体９を設け、貯留空間に導入された排泄液を下部吸収体９で保持し、逆戻りを防止するのが望ましい。下部吸収体９は、裏面シート２に対してはホットメルト接着剤等の接合手段により固定されていても、非固定でも良い。下部吸収体９の長さ及び幅は、図示例では複合層２０の吸収体４と同じであり周縁の位置が重なっているが、これに限られるものではなく、複合層２０の吸収体４より短くすることも、長くすることもできる。裏面シート２が伸縮性を有する場合、下部吸収体９は裏面シート２よりも延伸に要する力が低いことが好ましい。
【００４０】
また、複合層２０と裏面シート２との間が何もない空間であると、前述した本発明の膨出形状が潰れて、密着性が損なわれるおそれがあるため、複合層２０と裏面シート２との間に、主吸収部２２に固定されていない液透過性の圧縮復元性層１０を設け、膨出形状の潰れを防止するのが望ましい。このような圧縮復元性層１０は、エアスルー不織布や、セルロースアセテート等のフィラメントのトウを必要に応じて開繊したものにより形成することができる。圧縮復元性層１０は、本発明の機能を損ねない範囲において、複合層２０及び裏面シート２のいずれに対しても非固定とできるが、いずれか一方又は両方（特に裏面シート２のみ）に固定されているのが好ましい。圧縮復元性層１０の厚みは適宜定めれば良く、複合層２０の裏面に丁度接する程度、又は複合層２０と裏面シート２との間に圧縮状態で挟まれる程度であっても良いが、膨出形状として最低限確保すべき形状を維持できれば複合層２０の裏面または裏面シート２の表面との間に隙間があっても良い。具体的には、圧縮復元性層１０の厚みは、自然状態における複合層２０と裏面シート２との隙間（厚み方向）の５〜９０％程度であるのが好ましい。
【００４１】
＜他の実施形態＞
（Ａ）  上記例では、表面シート３３のみにより本発明の表面側層が構成され、裏面シート２のみにより本発明の裏面側層が構成されているが、中間シート等の他の部材を有する場合、その部材が吸収体４（包被シートを含む）に対して表面側に位置する場合には表面側層の一部又は全部として構成することができ、裏面側に位置する場合には裏面側層の一部又は全部として構成することができる。例えば、前述の中間シートを有する形態では表面シート３３及び中間シートを表面側層として、吸収体４と一体化することができる。
【００４２】
（Ｂ）  図７に示すように、複合層２０における前記主吸収部２２の幅方向両側に、前後方向に沿う易折り曲げ部７を形成するのも好ましい形態である。易折り曲げ部７は、当該部分が他の部分と比べて折れ曲がり易くなっている部分を意味するものであり、ミシン目、スリット、エンボス加工等により形成することができる。このような易折り曲げ部７が複合層２０における主吸収部２２の幅方向両側に、前後方向に沿って形成されていると、股間において幅方向の圧縮力が加わったときに主吸収部２２の両側部が安定した膨出形状を維持でき、身体への密着性が損なわれ難くなる。易折り曲げ部７は、主吸収部２２の両側縁又はその幅方向中央側近傍に沿って形成されているのが好ましい。
【００４３】
（Ｃ）  裏面側層（裏面シート２）が前後方向に弾性伸縮するように構成されている場合、複合層２０の環状部２１のうち、前後方向において主吸収部２２と対応する両側部に、他の部位よりも前後方向の圧縮に要する力が低い部分を有すると、裏面側層の収縮が妨げられず、複合層２０が安定した膨出形状になる。このような部分は、図８に示すように、吸収体４における対象部位に切欠部４ｘを設ける他、対象部位にスリットを設けたり、対象部位にエンボス加工を施したり、対象部位において表面側層と吸収体４との接合を間欠にしたり（つまり非接合部を間欠に設けたり）することにより形成することができる。
【００４４】
（Ｄ）  吸収体４は、貫通孔５の形成領域からその周囲の無貫通孔領域に向かうにつれて親水度及び繊維密度の少なくとも一方が高くなるものであると好ましい。図９はこの形態を示したものであり、グラデーションにより親水度及び繊維密度を表現したものである。このような構造を有することにより、吸収体４の貫通孔５領域で導入した液が当該領域に保持されずに周囲の無貫通孔領域に拡散されるため、一度吸収した液が身体側へ逆戻りし難くなる。また、肌により密着する部分に液が残り難いため、液吸収後においても表面がさらっとするようになる利点もある。親水度の大小関係は、各部の素材選択や公知の親水剤の利用等により生み出すことができ、繊維密度の大小関係は、各部の素材選択や、製造時にニップロール等による圧縮加工を施す等により生み出すことができる。
【産業上の利用可能性】
【００４５】
本発明は、生理用ナプキン、パンティライナー、おりものシート、失禁パッド等の広範な用途に適用できるものである。
【図面の簡単な説明】
【００４６】
【図１】パッドの展開状態での平面図である。
【図２】図１のＡ−Ａ線断面図である。
【図３】図１のＢ−Ｂ線断面図である。
【図４】図１のＣ−Ｃ線断面図である。
【図５】パッドの自然状態での平面図である。
【図６】図５のＤ−Ｄ線断面図である。
【図７】他のパッドの展開状態での平面図である。
【図８】他の複合層の展開状態での平面図である。
【図９】他の吸収体の展開状態での平面図である。
【符号の説明】
【００４７】
１…パッド、２…裏面シート、３…表面シート、４…吸収体、５…貫通孔、６…形状保持シート、７…易折り曲げ部、８…細長状弾性伸縮部材、９…下部吸収体、１０…圧縮復元性層、２０…複合層、２１…環状部、２２…主吸収部。
【図１】
0005159358.tif 000002
【図２】
0005159358.tif 000003
【図３】
0005159358.tif 000004
【図４】
0005159358.tif 000005
【図５】
0005159358.tif 000006
【図６】
0005159358.tif 000007
【図７】
0005159358.tif 000008
【図８】
0005159358.tif 000009
【図９】
0005159358.tif 000010